(57)【要約】【課題】複数のクライアントからの依頼を受けて掲出物を無料配布するサービスシステムにおいて、各掲出物を確実に各スタンドの各ポケットに配布したことを確実に証明できる掲出物の無料配布システムを構成し、サービスの向上を図る。【解決手段】配達員にデジタルカメラを持参させ、スタンド配置後のスタンドの正面写真（斜視含む）を撮り、センターサーバ宛に送る。センターサーバは、管理データと組み合せて当該スタンドに掲出したクライアントに対し、所望の写真データを提供する。クライアントは、実配置を確認し、併せて経過情報まで知ることができる掲出物の無料配布システム。【選択図】      図1
2005242822.tif 000002
【特許請求の範囲】
【請求項１】
駅や街中に複数のポケットを備えたスタンドを複数設置し、複数のクライアントの要望を受けて、夫々のクライアントが配布したい掲出物を所定のスタンドの所定のポケットに入れ、街行く人に任意のスタンドの任意のポケットから所望の掲出物を1つづつ取らせるようにした掲出物の無料配布システムにおいて、
前記スタンドを設置し、前記クライアントの要望を受けて所定の期間、所定のスタンドの所定のポケットに所定の掲出物を配布管理するサービスセンターを設け、
前記掲出物を各スタンドに配布する配達員には、各スタンドの各ポケットに所定の掲出物を入れた後、そのときのスタンド正面写真を、スタンド符号を含めて撮影できるデジタルカメラを所持させ、
前記サービスセンターには、各期間、各スタンドの各ポケットに入れる各掲出物の内容を各クライアントに対応させて記憶管理する管理データ記憶部と、
前記配達員が前記デジタルカメラで写した前記スタンドの写真データを記憶する写真データ記憶部と、
前記管理データ記憶部及び前記写真データ記憶部並びに各クライアントの端末と接続され、各クライアントの呼出しに応じ、前記写真データと前記管理データとを組合わせ、各クライアントに関係する写真情報を当該クライアントに提供するセンターサーバと、を設けたことを特徴とする掲出物の無料配布システム。
【請求項２】
前記デジタルカメラを、ウェブ交信可能のカメラ付き携帯電話とし、撮影した写真データを前記サービスセンターを介し又は介さず前記写真データ記憶部にリアルタイムで転送することを特徴とする請求項１に記載の掲出物の無料配布システム。
【請求項３】
前記配達員は、前記スタンドの正面写真を撮るに際し、各ポケットに掲示した掲出物の厚みが見えるよう斜め、又は上方から撮影することを特徴とする請求項１又は２に記載の掲出物の無料配布システム。
【発明の詳細な説明】
【技術分野】
【０００１】
本発明は、駅や街中に、複数のポケットを備えたスタンドを複数設置し、複数のクライアントの要望を受けて、夫々のクライアントが配布したい印刷物や景品等掲出物を所定のスタンドの所定のポケットに入れ、街行く人に任意のスタンドの任意のポケットから所望の掲出物を1つづつ取らせるようにした掲出物の無料配布システムに関する。特に、各クライアントの掲出物を各スタンドの所定位置へ実配置したことを確実に証明でき、加えて各クライアントが日々の配布状況までを自由に監視できるようにしたものである。
【背景技術】
【０００２】
近年、新規のサービス事業として、クライアントの要望を受け、各クライアントが掲出したいパンフレットやＰＲ誌を街中に設けたスタンドのポケットに入れ、無料配布するサービスが行われるようになってきた。スタンドとしては、１列４段、４列３段等、多数のポケット（棚）を有し、ここに各クライアントの所定の掲載物を入れておくことにより、街行く人に好みの掲載物を取らせるようにしている。
【０００３】
この掲出物の無料配布システムに関しては、新規事業であることにも関連して特許文献が見当たらない。敢えて示せば、広告物の無料配布に関連して、特許公開2002-109251号公報（著作物の配信方法及び著作物の記憶媒体）がある。これは、著作物データを広告データと共に光ディスクに入れ、光ディスクをガソリンスタンドやコンビニエンスストアに配置、無料配布するというものである。本発明とは、広告物を無料配布するという点でのみ一致する。
【０００４】
しかしながら、これら従来の広告物の無料配布において、無料配布をサービス事業者が行うので、確実に配布したという証明をするのが難しかった。特に掲出物を広域区に散在する複数のスタンドに分けて配置した場合、確実に配置し、確実に展示したという証明をするのが難しい。また、クライアントに配布期間を過ぎての持ち帰り率（消化率）は呈示できるが、その信憑性と、途中経過を示すのが難しかった。各スンタンドの各ポケットに確実に配置したという証明と、途中の経過と、持ち帰り率の信憑性は、本サービスシステムを円滑に運用する上で格別重要な事項である。
【特許文献１】特許公開2002-109251号公報、第１頁
【発明の開示】
【発明が解決しようとする課題】
【０００５】
本発明は、駅や街中に、複数のポケットを備えたスタンドを複数設置し、複数のクライアントの要望を受けて、夫々のクライアントが配布したい掲出物を所定のスタンドの所定のポケットに入れ、街行く人に任意のスタンドの任意のポケットから所望の掲出物を1つづつ取らせるようにした掲出物の無料配布システムにおいて、各スタンドの各ポケットに確実に配置したという写真による証明と、日時のデータ、途中経過と、信憑性のある持ち帰り率を示し、もってクライアント間の信用を向上し、システム運用を円滑に行うことができる掲出物の無料配布システムを構築することを目的とする。
【課題を解決するための手段】
【０００６】
上記課題を解決するための本発明は、駅や街中に、複数のポケットを備えたスタンドを複数設置し、複数のクライアントの要望を受けて、夫々のクライアントが配布したい掲出物を所定のスタンドの所定のポケットに入れ、街行く人に任意のスタンドの任意のポケットから所望の掲出物を1つづつ取らせるようにした掲出物の無料配布システムにおいて、
前記スタンドを設置し、前記クライアントの要望を受けて所定の期間、所定のスタンドの所定のポケットに所定の掲出物を配布管理するサービスセンターを設け、
前記掲出物を各スタンドに配布する配達員には、各スタンドの各ポケットに所定の掲出物を入れた後、そのときのスタンド正面を、スタンド符号（番号又は記号）を含めて撮影できるデジタルカメラを所持させ、
一方、前記サービスセンターには、各期間、各スタンドの各ポケットに入れる各掲出物の内容を各クライアントに対応させて記憶管理する管理データ記憶部と、
前記配達員が前記デジタルカメラで写した前記スタンドの写真データを記憶する写真データ記憶部と、
前記管理データ記憶部及び前記写真データ記憶部並びに各クライアントの端末と接続され、各クライアントの呼出しに応じ、前記写真データと前記管理データとを組合わせ、各クライアントに関係する写真情報を当該クライアントに提供するセンターサーバと、を設けたことを特徴とする。
【０００７】
本発明では、サービスセンターにセンターサーバを設け、配達員には、デジタルカメラを所持させる。センターサーバには、管理データ記憶部と写真データ記憶部とを接続して設け、これをクライアント端末に対しウェブ接続する。デジタルカメラがカメラ付きの携帯電話である場合には、センターサーバに対しデジタルカメラもウェブ接続される。管理データには、各スタンドに対応して各クライアントの掲出物の配布すべき内容が記憶される。
【０００８】
従って、配達員がデジタルカメラで撮ったスタンドの正面写真データをサービスセンターを介し又は介さず写真データ記憶部に蓄積し、これを管理データと対応させ、各クライアントにクライアントが必要とする写真情報を提供できる。
【０００９】
クライアントが必要とする写真情報としては、各スタンドに掲出物が実配置されたか否かの情報や、実配置後日々における持ち帰り状況の情報等がある。
【００１０】
配達員は、各クライアントの各掲出物を所定のスタンドの所定のポケットに入れて掲示し、所持したデジタルカメラでスタンドの正面を撮影する。デジタルカメラには、スタンドの正面写真データが記憶される。デジタルカメラとしては、市販のデジタルカメラの他、デジタルカメラ付きの携帯電話を用いることができる。市販のデジタルカメラの場合には、センターに帰った後、その日の配達で撮った写真をセンターの写真データ記憶部に転写しなければならないが、携帯電話の場合は、リアルタイムでウェブ送信できる。添付ファイルにスタンド符号（番号や記号）を入れておくことにより、スタンド符号を識別できる。スタンド符号は、写真に写っているスタンド符号を見てセンター側で手入力することも可能である。
【００１１】
管理データとしては日々の掲示すべき内容をスタンド符号毎にデータ化して記憶している。これは、例えば、各スタンドの正面図の中での各ポケットにクライアント名及び内容を対応させることで処理できる。
【００１２】
従って、クライアントは、自己の端末を用いて、センターサーバを呼出し、交信することにより、写真データ記憶部の内容を可能な範囲で一枚づつ又は、複数枚づつチェックすることができる。このとき、掲出物の消化状況まで示すために、スタンド及び撮影に工夫を凝らすことができる。例えば、少し斜めから写し、厚みを見ることができるようにしたり、掲出物の台座受面を斜めとして、掲出物の上端が前後スライドして枚数まである程度見えるようにする等である。
【００１３】
このようにすれば、クライアントは、スタンドに展示した自社の掲出物の全体像のみならず、その残り枚数まで日々確認でき、凡その持ち帰り率を日々チェックすることができる。スタンドの全体像において他社の掲出物まで呈示するのは問題が残る。この場合には、他社部分を削除したり、マスクしたり、或いはボカシを入れる等して対応できる。一般に、掲出物は、市内、県内或いは全国域に配置された多数のスタンドに散在させるが、現地に行かず、容易にチェックできる。チェックエリアを指定して、抜き打ち検査もできる。また、クライアントの要望に応じて、指定日時の状況や追加納品の必要性などの状況もウェブ上で閲覧することができる。
【発明の効果】
【００１４】
本発明によれば、駅や街中に、複数のポケットを備えたスタンドを複数設置し、複数のクライアントの要望を受けて、夫々のクライアントが配布したい掲出物を所定のスタンドの所定のポケットに入れ、街行く人に任意のスタンドの任意のポケットから所望の掲出物を1つづつ取らせるようにした掲出物の無料配布システムにおいて、配達員にデジタルカメラで写真を撮らせるのみで、クライアントに配達状況、持ち帰り状況までを示すことができ、これによって配達証明でき、持ち帰り状況までを示すことができ、加えて持ち帰り率の信憑性を高め、追加納品の必要性などの判断データとして活用することができる。管理データを介して写真情報が蓄積されるので、配達員の業務管理も可能である。
【発明を実施するための最良の形態】
【００１５】
以下、添付図面を用いて本発明を実施するための最良の形態を説明する。図１は、本発明の一実施形態に係る掲出物の無料配布システムを示すブロック説明図である。
【００１６】
図１に示すように、本発明の一実施形態に係る掲出物の無料配布システム１は、複数のポケットＰｉ（iはポケット番号）を備えたスタンドＳｊ（ｊはスタンド番号）を駅や街中に複数設置し、複数のクライアントＣｋ（ｋはクライアント番号）の要望を受けて、夫々のクライアントＣｋが配布したい掲出物を所定のスタンドＳｊの所定のポケットＰｉに入れ、街行く人に任意のスタンドＳｊの任意のポケットＰｉから所望の掲出物を1つづつ取らせるようにしている。
【００１７】
前記スタンドＳｊを設置し、前記クライアントＣｋの要望を受けて所定の期間、所定のスタンドの所定のポケットに所定の掲出物を配布管理するサービスセンター２を設ける。
【００１８】
前記掲出物を各スタンドに配布する配達員３には、各スタンドＳｊの各ポケットＰｉに所定の掲出物を入れた後、そのときのスタンド正面（斜視含む）の写真を撮像させるカメラ付き携帯電話４を所持させている。
【００１９】
前記サービスセンター２には、各期間、各スタンドＳｊの各ポケットＰｉに入れる各掲出物の内容を各クライアントＣｋに対応させて記憶管理する管理データ記憶部５と、前記配達員３が携帯電話４で写した前記スタンドＳｊの正面画像の写真データを記憶する写真データ記憶部６とを設けている。センターサーバ８は、各クライアントの端末７とウェブ接続され、各クライアントＣｋの呼出しに応じ、前記写真データと前記管理データとを組合わせ、各クライアントＣｋに関係する写真情報を提供できる。
【００２０】
前記写真データ記憶部６には、前記携帯電話４の送信情報をウェブサイトで受信し、写真データ記憶部６に転送する受信部９を付属している。受信部９は、実際にはサービスセンター２内に配置され、ここに管理員を配属し、受信部９で受信した写真データをチェックし、チェック後写真データ記憶部６に入力することができる。
【００２１】
図２に示すように、写真データ記憶部６には、受信部９の受信情報に基いて、データを時刻データ記憶部６ａと、写真データ記憶部６ｂと、付属データ記憶部６ｃに分けて夫々記憶するエリアが設けられている。本例のデジタルカメラは、リアルタイム送信可能の携帯電話であるので、時刻は、送信されてきたデータでなく、受信の時刻で十分である。付属データは、クライアントの特注によるもので、クライアントＣｋ毎に記憶される。例えば、クライアントが特別に残り枚数を調べてほしい旨の要求に応えるためのものである。この場合、クライアント番号と、枚数が送信され、記憶される。
【００２２】
図３に示すように、管理データ記憶部５には、現在日付における各スタンドＳｊの各ポケットＰｉにどのクライアントＣｋが対応しているかを記憶管理するためのマトリクスデータが記憶されている。マトリクスデータには、各スタンドＳｊにおける各ポケットＰｉの位置情報も含まれる。従って、写真データ記憶部６に送信されてきた写真データを、このマトリクスに対応させることにより、あるスタンドＳｊのどのポケットＰｉにどのクライアントＣｋが対応するかは、即座に解る。列段の数は多くとも５〜７程度であるので、端点から、各ポケット位置を割り出すことができるが、管理データで示した各ポケットの位置情報に基いて正確に区画し、各クライアントに自社のみの情報を提供できるようにするのが好ましい。各ポケットＰiに各クライアントＣｋを対応させておくことにより、各クライアントＣｋの呼出しに応じ、当該クライアントＣｋに自社のみの情報を与えることが確実に行える。他社の部分は削除したり、マスクしたり或いはボカシを入れること等で対応できる。
【００２３】
図４に示すように、スタンドＳｊには、複数のポケットＰｉ（＝１、２、３…）が設けられている。一般に、スタンドＳｊは、細い鉄棒を組んで棚状に形成され、スペース有効利用を図るために、底部にもベタ置きのポケットＰ４も設けられる。列段数は種々であり、複列複段とされるのが普通である。容易に移動できるようキャスタ１０が設けられることもある。配達員３は、各区Ａ、Ｂ、Ｃ…に配置された各スタンドＳｊを巡回し、図３に示す管理データに示す通りの掲示を行うべく、各ポケットＰｉに所定のクライアントＣｋの掲出物を入れ、展示し、その後、スタンドＳｊの端点１１を携帯電話４のカメラ１２の視野に合わせ、図５に示すような写真を撮り、スタンド符号を示すため、添付ファイルにスタンド番号ｊを入力し、センターサーバ８には対して送信する。サービスセンター側で、写真に写ったスタンド番号Ｓｊを見て、手入力する場合には、配達員３はファイル添付の必要はない。スタンドＳｊの端点１１は、この点を基準として、各ポケットＰｉ位置を割り出すのに利用される。端点１１が明瞭でない場合は、センターの管理員によって、ペンタッチで座標値化できる。
【００２４】
図４に示すように、本例のスタンドＳｊの各ポケットＰｉは、パンフレット等の掲出物の底面が順次高さ位置をずらせて掲出できるよう、受面を斜めに形成している。従って、写真を撮ると、掲出物の端面がずれて見え、凡その残り枚数を観察できる。このずれ面が見えるよう、写真を上方又は斜めから写すことが1つの要領である。
【００２５】
次に、以上の構成の掲出物の無料配布システム１の作用を示す。まず第１に、サービスセンターは、クライアントＣｋとの間で、掲出期間と、どの区のスタンドＳｊにどの掲出物を配るのかを契約で定める。契約後、クライアントＣｋがサービスセンター２に掲出物を納品すると、管理データを作成し、いよいよ掲出開始となる。
【００２６】
配達員３は、掲出物件を各スタンドＳｊに配置し、配置終了後に図４に示した写真を撮り、センターサーバ８の受信部９に送信する。これらの写真データは、写真データ記憶部６に順次記憶される。ただし、スタンド番号Ｓｊを手入力する場合には、その途中で、センター２で番号ｊの入力操作を加える。各ポケットＰｉに各クライアントＣｋを確実に対応させるため、端点１１にペンタッチで座標入力することもある。
【００２７】
図６は、センターサーバ８を呼び出してクライアントＣｋが行う検索処理のフローチャートである。ステップ６０１で、目的に応じ範囲を定める。例えば、依頼した掲出物が実際掲出されたか否かを調べたい場合、依頼地区を入力する。また、依頼日以降の経過を調べたい場合には、依頼日から今日までの期間を入力する。併せてエリア指定もできる。
【００２８】
次いで、ステップ６０２を介してセンター呼び出しをする。ステップ６０３でＩＤ及びパスワードを入力する。すると、センターサーバ８は、指定範囲の中で、当該クライアントＣｋに関する写真情報を依頼内容に応じ編集し、ステップ６０５でクライアントＣｋへ出力する。クライアントＣｋは、ステップ６０６で写真を確認し、必要データを収集することができ、ステップ６０７を介して検索終了する。
【００２９】
ステップ６０４の編集処理では、図５に示すような各写真データに対して、検索処理する。編集では、クライアントＣｋに対応した部分１３に関し、自社の掲出物を見易くすることができる。拡大写真を付属することもできる。各スタンドＳｊに対し、１枚づつ示すこともでき、複数枚づつ編集して示すこともできる。
【００３０】
期間のチェックでは、スタンドＳｊ毎にチェックできるようにする。スタンド数を100、日付を30日とすると、写真枚数も多大である。この場合、クライアントＣｋは、スタンド番号等を指定して、いわば抜き打ち検査もできる。
【００３１】
各日付を追っての写真では、図４に示した掲出物の厚みにより、凡その持ち帰り率を知ることができる。この場合、自社のみに限定すべく、これは拡大写真のみによりチェックできるようにすることもできる。このように、掲出期間の途中の様子も見られるので、掲出終了後の持ち帰り率を信憑性高く評価することができる。
【００３２】
既に示したように、スタンド番号ｊは、添付ファイルに示すのではなく、サービスセンター例えば写真に写っているスタンド名（番号）を見て、手入力することもできる。写真から、文字認識装置等を用いて自動抽出することも可能であるが、実用的でない。検出誤りの可能性が生ずる。写真写りの良否もあるので、ここでは管理員のチェックを介在させる方が実用的である。写真写りが悪い場合には、即座に撮り直しするようリアルタイムで指示することもできる。
【００３３】
上記実施形態では、デジタルカメラをカメラ付き携帯電話４の例で示したが、これは一般的なデジタルカメラとすることもできる。ただし、この場合、撮ったデータを後で写真データ記憶部６に転写することになるので、リアルタイムの配信や、管理員を介しての撮り直し指令は困難である。
【００３４】
また、撮った写真データは、全て写真データ記憶部６に記憶したが、クライアントＣｋの要望に応じ、クライアントＣｋの端末に対して直接送信することも可能である。ただし、この場合でもセンターサーバ８を介在させ、該当データに絞って送信する必要がある。これにより、プライバシーが保護される。さらに、撮った写真をそのまま送るだけでは、格別使い勝手の悪いデータとなり、言い訳的な証明に止まる。アンケート用紙の回収状況が見られるようにするのも一案である。またクライアントの要望に応じ、他社の検索に自社の掲出物を見せてコマーシャルするのも一案である。管理データとの組合わせにより、使い勝手の良いデータとして対応すべきである。データの編集内容は、図で示したものに限定されず、クライアントＣｋの要望、契約に応じ各種変形して実施できる。
【００３５】
本発明は、上記実施形態に限定されず、本発明の要旨を逸脱しない範囲で各種変形して実施でき、適宜態様で実施できる。
【図面の簡単な説明】
【００３６】
【図１】本発明の一実施形態に係る掲出物の無料配布システムを示すブロック説明図である。
【図２】写真データ記憶部の記憶内容を示す説明図である。
【図３】管理データ記憶部の記憶内容を示すブロック図である。
【図４】スタンドの正面の撮影方法を示す説明図である。
【図５】デジタルカメラで撮影した写真内容を示す説明図である。
【図６】クライアントの利用方法を示すフローチャートである。
【符号の説明】
【００３７】
１  掲出物の無料配布システム
２  サービスセンター
３  配達員
４  カメラ付き携帯電話
５  管理データ記憶部
６  写真データ記憶部
６ａ時刻データ記憶エリア
６ｂ写真データ記憶エリア
６ｃ付属データ記憶エリア
７  クライアントの端末
８  センターサーバ
９  受信部
１０  キャスタ
１１  スタンドの端点
１２  携帯電話のカメラ
１３  クライアント対応部分
Ｐｉ  ポケット（iはポケット番号）
Ｓｊ  スタンド（ｊはスタンド番号）
Ｃｋ  クライアント（ｋはクライアント番号）
【図１】
2005242822.tif 000003
【図２】
2005242822.tif 000004
【図３】
2005242822.tif 000005
【図４】
2005242822.tif 000006
【図５】
2005242822.tif 000007
【図６】
2005242822.tif 000008